(57)【要約】【課題】  前後方向の設置スペースを節減することができる建物用開閉装置を提供する。【解決手段】  上下方向へのスライドにより建物Ａの開口部Ａ１を開閉可能な可動縦格子２０と、前記可動縦格子２０の上側で前記可動縦格子２０をスライド可能に支持するとともに前記建物Ａに対し上下方向へわたって取付け可能な固定縦格子１０とを具備した。【選択図】図１
2010031502.tif 000002
【特許請求の範囲】
【請求項１】
上下方向へのスライドにより建物の開口部を開閉可能な可動縦格子と、
前記可動縦格子の上側で前記可動縦格子をスライド可能に支持するとともに前記建物に対し上下方向へわたって取付け可能な固定縦格子と、を具備したことを特徴とする建物用開閉装置。
【請求項２】
前記可動縦格子を横幅方向において複数に分割し、その各々が、独立してスライドするようにしたことを特徴とする請求項１記載の建物用開閉装置。
【請求項３】
前記可動縦格子を横幅方向へ並設された複数の縦長状の可動縦格子構成部材から構成するとともに、前記固定縦格子を横幅方向へ並設された複数の縦長筒状の固定縦格子構成部材から構成し、
前記複数の固定縦格子構成部材の内の少なくとも一つに対し、その内部に、前記可動縦格子構成部材の一つをスライド可能に挿入して、前記可動縦格子のスライドを可能にしたことを特徴とする請求項１又は２記載の建物用開閉装置。
【請求項４】
前記複数の固定縦格子構成部材及び可動縦格子構成部材の全部について、各固定縦格子構成部材の内部に各可動縦格子構成部材をスライド可能に挿入したことを特徴とする請求項３記載の建物用開閉装置。
【請求項５】
複数の前記固定縦格子構成部材の内、その一部の固定縦格子構成部材を下方へ突出させ、この突出した固定縦格子構成部材によって、前記可動縦格子のスライドを案内するようにしたことを特徴とする請求項１乃至４何れか１項記載の建物用開閉装置。
【請求項６】
複数の前記固定縦格子構成部材の内、その両側の固定縦格子構成部材を下方へ突出させ、この突出した固定縦格子構成部材によって、前記可動縦格子のスライドを案内するようにしたことを特徴とする請求項１乃至４何れか１項記載の建物用開閉装置。
【請求項７】
前記固定縦格子構成部材の内部に駆動機構を設け、
該駆動機構の駆動により前記可動縦格子構成部材をスライドさせるようにしたことを特徴とする請求項１乃至６何れか１項記載の建物用開閉装置。
【請求項８】
前記駆動機構は、前記固定縦格子構成部材内に固定されるモータと、該モータの回転軸に連結されるネジ状軸部材と、該ネジ状軸部材を回転可能に支持する軸受部材と、該ネジ状軸部材に螺合されるとともに前記可動縦格子構成部材に固定される被螺合部材とを具備してなることを特徴とする請求項７記載の建物用開閉装置。
【請求項９】
少なくとも前記モータと前記軸受部材が、前記固定縦格子構成部材の開口端部から内部に挿入可能な一体部品として構成されていることを特徴とする請求項８記載の建物用開閉装置。
【発明の詳細な説明】
【技術分野】
【０００１】
本発明は、建物の開口部を上下方向へ開閉する建物用開閉装置に関するものである。
【背景技術】
【０００２】
従来の建物用開閉装置には、例えば、特許文献１に記載されるようなシャッター装置がある。このようなシャッター装置では、上下方向へわたるシャッターカーテンを、左右のガイドレールに沿って上下方向へ開閉動作させ、開放した際のシャッターカーテンを上方側の巻取り軸に巻取るようにしている。
このような従来の建物用開閉装置では、シャッターカーテンを巻取軸に巻取るために、前後方向の収納スペースを要することになる。
また、近年、従来の建物用開閉装置に対し、より頑強な構造や、より意匠性の良好な構造等が、求められている。
【特許文献１】特開２００５−２７３３２４号公報
【発明の開示】
【発明が解決しようとする課題】
【０００３】
本発明は上記従来事情に鑑みてなされたものであり、その課題とする処は、前後方向の設置スペースを節減することができる建物用開閉装置を提供することにある。
【課題を解決するための手段】
【０００４】
上記課題を解決するための技術的手段は、上下方向へのスライドにより建物の開口部を開閉可能な可動縦格子と、前記可動縦格子の上側で前記可動縦格子をスライド可能に支持するとともに前記建物に対し上下方向へわたって固定可能な固定縦格子と、を具備したことを特徴とする。
この技術的手段によれば、可動縦格子の上下方向へのスライドにより建物開口部を開閉することができる。全開した際の可動縦格子は上方側へ収納される。
【０００５】
更なる技術的手段では、前記可動縦格子を横幅方向において複数に分割し、その各々が、独立してスライドするようにしたことを特徴とする。
この技術的手段によれば、可動縦格子を横幅方向において部分的に開閉することができる。
【０００６】
更なる技術的手段では、前記可動縦格子を横幅方向へ並設された複数の縦長状の可動縦格子構成部材から構成するとともに、前記固定縦格子を横幅方向へ並設された複数の縦長筒状の固定縦格子構成部材から構成し、前記複数の固定縦格子構成部材の内の少なくとも一つに対し、その内部に、前記可動縦格子構成部材の一つをスライド可能に挿入して、前記可動縦格子のスライドを可能にしたことを特徴とする。
この技術的手段によれば、可動縦格子をスライド可能にする構成を簡素で生産性の良好な態様とすることができる。
【０００７】
更なる技術的手段では、前記複数の固定縦格子構成部材及び可動縦格子構成部材について、各固定縦格子構成部材の内部に各可動縦格子構成部材をスライド可能に挿入したことを特徴とする。
この技術的手段によれば、固定縦格子に対し可動縦格子をスライド可能かつ頑強に係合した構造を得ることができる。
【０００８】
更なる技術的手段では、複数の前記固定縦格子構成部材の内、その一部の固定縦格子構成部材を下方へ突出させ、この突出した固定縦格子構成部材によって、前記可動縦格子のスライドを案内するようにしたことを特徴とする
この技術的手段によれば、可動縦格子の開閉動作中のがたつきを防ぎ、その開閉動作を安定させることができる。
【０００９】
更なる技術的手段では、複数の前記固定縦格子構成部材の内、その両側の固定縦格子構成部材を下方へ突出させ、この突出した固定縦格子構成部材によって、前記可動縦格子のスライドを案内するようにしたことを特徴とする。
この技術的手段によれば、可動縦格子の開閉動作中のがたつきを防ぎ、その開閉動作を安定させることができる上、突出した固定縦格子構成部材が建物開口部を通過する物体の邪魔になるようなことを防ぐことができる。
【００１０】
更なる技術的手段によれば、前記固定縦格子構成部材の内部に駆動機構を設け、該駆動機構の駆動により前記可動縦格子構成部材をスライドさせるようにしたことを特徴とする。
この技術的手段によれば、可動縦格子を駆動機構によって開閉動作させることができる上、固定縦格子および可動縦格子の外部に駆動機構の設置スペースを必要としない。
【００１１】
更なる技術的手段では、前記駆動機構は、前記固定縦格子構成部材内に固定されるモータと、該モータの回転軸に連結されるネジ状軸部材と、該ネジ状軸部材を回転可能に支持する軸受部材と、該ネジ状軸部材に螺合されるとともに前記可動縦格子構成部材に固定される被螺合部材とを具備してなることを特徴とする。
この技術的手段によれば、可動縦格子を所望とする開放位置で維持するのが比較的容易である。すなわち、可動縦格子が自重により閉鎖動作してしまうようなことを、ネジ状軸部材と被螺合部材との係合により防ぐことができる。
【００１２】
更なる技術的手段によれば、少なくとも前記モータと前記軸受部材が、前記固定縦格子構成部材の開口端部から内部に挿入可能な一体部品として構成されていることを特徴とする。
この技術的手段によれば、固定縦格子構成部材内への駆動機構の装着を容易に行うことができる。
【発明の効果】
【００１３】
本発明は、以上説明したように構成されているので、以下に記載されるような作用効果を奏する。
建物開口部を可動縦格子のスライドにより開閉することができる上、可動縦格子が収納される際に前後方向へ突出するようなことがない。
しかも、格子状の可動縦格子により開口部を開閉するようにしているため、比較的頑強な構造とすることができ、防犯性も良好である。
よって、前後方向の設置スペースを節減可能な上、比較的頑丈で防犯性も良好な建物用開閉装置を提供することができる。
【発明を実施するための最良の形態】
【００１４】
以下、本発明の実施の形態を図面に基づいて説明する。
この建物用開閉装置１は、例えば図１に示す建物Ａの前面側の開口部Ａ１を開閉するようにして設けられる。
【００１５】
建物Ａは、図示例によれば三階建ての建造物であり、その一階部分の前面側に、人や車等の出入りが可能な開口部Ａ１を有する。
また、建物Ａの二階部分と三階部分の前面側には、それぞれ、後方へ凹むようにしてベランダＡ２，Ａ３が設けられている。
【００１６】
建物用開閉装置１は、建物Ａの開口部Ａ１よりも上側の部分を覆うようにして上下方向へわたって固定される固定縦格子１０と、この固定縦格子１０に対しスライド可能に支持されて前記開口部Ａ１を上下方向へ開閉する可動縦格子２０と、可動縦格子２０をスライドさせる駆動源である駆動機構３０とを具備してなる。
【００１７】
固定縦格子１０は、横幅方向（図示例によれば略水平方向）へ並設された複数の縦長筒状の固定縦格子構成部材１１，１１’と、これら複数の固定縦格子構成部材１１，１１’を横幅方向に連結する横桟部材１２，１３とから一体的に構成される。
より詳細に説明すれば、図２に示すように、横幅方向へ所定間隔を置いて並設された複数の固定縦格子構成部材１１，１１’は、その上側部分が横桟部材１２により連結され、下側部分が横桟部材１３により連結されることで、一体化されている。
【００１８】
固定縦格子構成部材１１，１１’の各々は、四角筒状の金属製部材である。
複数の固定縦格子構成部材１１，１１’の内、横幅方向の両端に位置する固定縦格子構成部材１１’は、他の固定縦格子構成部材１１よりも下方へ突出して、全閉状態にある可動縦格子２０の両側に並んで配置される。
【００１９】
前記固定縦格子構成部材１１’は、図示例によれば、固定縦格子構成部材１１の下方側に、後述する可動縦格子構成部材２１と同様の角筒状の部材を連結固定することで構成される。
この固定縦格子構成部材１１’の他例としては、固定縦格子構成部材１１の長さを単に長くした態様としてもよい。
【００２０】
前記各固定縦格子構成部材１１’の固定縦格子構成部材１１よりも下方へ突出した部分１１ａ’には、可動縦格子２０を開閉方向へ案内するガイド片１１ｂ’が設けられる（図５参照）。
【００２１】
ガイド片１１ｂ’は、上下方向へわたる横断面略Ｌ字状の部材であり、上下方向へ連続する内向きの凹部１１ｃ’を形成している。より詳細に説明すれば、この凹部１１ｃ’は、前記ガイド片１１ｂ’と、固定縦格子構成部材１１’の下方へ突出した部分１１ａ’との間に形成される。そして、この凹部１１ｃ’内には、可動縦格子２０の横桟部材２２（又は２３）の端部が挿入される。したがって、横桟部材２２は、凹部１１ｃ’によって上下方向へ案内されることになる。
【００２２】
横桟部材１２，１３の各々は、複数の固定縦格子構成部材１１，１１’に対し交差状に溶着される金属製部材であればよく、例えば、固定縦格子構成部材１１と略同様の四角筒状の金属製部材が用いられる。
【００２３】
また、可動縦格子２０は、横幅方向へ並設された複数の縦長状の可動縦格子構成部材２１と、これら可動縦格子構成部材２１の下端側を横幅方向へ連結する横桟部材２２，２３とから構成される。
【００２４】
各可動縦格子構成部材２１は、図示例によれば、固定縦格子構成部材１１内に挿入されてスライド可能な四角筒状の金属製部材である。
【００２５】
可動縦格子２０は、横幅方向において複数に分割され、その各々が独立して開閉動作するようになっている。
より詳細に説明すれば、複数の可動縦格子構成部材２１の内、横幅方向における一部の範囲の可動縦格子構成部材２１は、一方の横桟部材２２によって連結され一体化されている。
また、複数の可動縦格子構成部材２１の内、横幅方向における他の範囲の可動縦格子構成部材２１は、他方の横桟部材２３によって連結され一体化されている。
横桟部材２２と横桟部材２３の各々は、横桟部材１２，１３と略同様の材料により形成される。
【００２６】
より具体的に説明すれば、図２に示すように、左側の四つの可動縦格子構成部材２１は横桟部材２２により連結される。これら四つの可動縦格子構成部材２１は、主に人等が出入りする幅狭の開口部を開閉する開閉体として用いられる。
また、図２における右側の多数の可動縦格子構成部材２１は、図示例によれば横桟部材２２よりも長い横桟部材２３によって連結される。これら多数の可動縦格子構成部材２１は、主に車等が出入りする幅広の開口部を開閉する開閉体として用いられる。
【００２７】
各可動縦格子構成部材２１は、図示例によれば固定縦格子構成部材１１よりも若干短く形成され、固定縦格子構成部材１１に対しその下端側から挿入され、固定縦格子構成部材１１内で長手方向へスライド可能である。
【００２８】
また、駆動機構３０は、可動縦格子２０における開閉動作する部分の両側に対応する固定縦格子構成部材１１，１１に対し、その各々の内部に設けられている。
【００２９】
より具体的に説明すれば、図２に例示するように、複数の駆動機構３０の一部は、左側の四つの可動縦格子構成部材２１からなる開閉動作部分（図３（ｂ）によれば一部の可動縦格子２０ａ）の両端側の可動縦格子構成部材２１，２１を挿入している固定縦格子構成部材１１，１１に対し、その各々の内部に設けられる。
【００３０】
また、図２の一例によれば、複数の駆動機構３０の他の一部は、右側の多数の可動縦格子構成部材２１からなる開閉動作部分（図３（ｃ）によれば一部の可動縦格子２０ｃ）の両端側の可動縦格子構成部材２１，２１を挿入している固定縦格子構成部材１１，１１に対し、その各々の内部に設けられる。
【００３１】
各駆動機構３０は、固定縦格子構成部材１１内に固定されるモータ３１と、該モータ３１の回転軸３１ａに対し連結部材３２を介して連結されるネジ状軸部材３３と、該ネジ状軸部材３３を回転可能に支持する複数の軸受部材３４，３５と、該ネジ状軸部材３３に螺合されるとともに可動縦格子構成部材２１に固定される被螺合部材３６と、モータ３１及び一方の軸受部材３４を一体に支持する基台３７と、他方の軸受部材３５及び被螺合部材３６を一体に支持する基台３８とを具備している（図４、図６及び７参照）。
【００３２】
モータ３１は、回転軸３１ａを双方向へ回転可能な電動モータであり、固定縦格子構成部材１１上端の開口部から挿入される電線（図示せず）によって、制御回路（図示せず）から電源供給される。
このモータ３１は、その回転量が制御されている。この構成によれば、可動縦格子２０を途中開放位置で停止することが可能である。
なお、このモータ３１には、可動縦格子２０を開放位置で停止した際の静止性を、より良好にするために、必要に応じて、回転軸３１ａを回転不能に拘束するブレーキ装置（図示せず）が設けられる。
【００３３】
連結部材３２は、モータ３１の回転軸３１ａとネジ状軸部材３３とを、同軸状に連結する部材であり、カップリング等と呼称される場合もある。
ネジ状軸部材３３は、可動縦格子２０のスライド量よりも若干長い軸状であって、その外周に所謂ネジ山を形成している。このネジ状軸部材３３の具体例としては、所謂ボールネジを用いればよいが、台形ネジ、角ネジなどのネジの種類は問わない。
【００３４】
また、一方の軸受部材３４は、基台３７を介して固定縦格子構成部材１１内に固定され、挿通されるネジ状軸部材３３の上端側を回動自在に受けている。
他方の軸受部材３５は、基台３８を介して可動縦格子構成部材２１内に固定され、被螺合部材３６よりも下方側でネジ状軸部材３３を回動自在に受けている。
また、被螺合部材３６は、前記基台３８を介して前記軸受部材３４，３５間で、ネジ状軸部材３３に螺合する部材であり、可動縦格子構成部材２１内に固定されている。
【００３５】
基台３７，３８の各々は、金属や合成樹脂等の剛体からなる平板状の部材である。一方の基台３７は、回転軸３１ａに連結部材３２を装着したモータ３１と軸受部材３４とを支持し一体化している（図６参照）。また、他方の基台３８は、軸受部材３５と被螺合部材３６とを支持し一体化している（図７参照）。
【００３６】
次に、駆動機構３０を固定縦格子構成部材１１及び可動縦格子構成部材２１内に装着する手順の一例を詳細に説明する。
先ず、図６に示すように、モータ３１及び軸受部材３４等を一体に具備した基台３７が、固定縦格子構成部材１１の開放方向側（図７によれば上方側）の開口部に挿入される。挿入された基台３７は、固定縦格子構成部材１１の外部から貫挿されるネジ等の止着具３９によって固定される。
【００３７】
同様にして、軸受部材３５及び被螺合部材３６等を一体に具備した基台３８が、可動縦格子構成部材２１の開放方向側（図７によれば上方側）の開口部に挿入され、可動縦格子構成部材２１の外部から貫挿されるネジ等の止着具（図示せず）によって固定される。
【００３８】
次に、可動縦格子構成部材２１の閉鎖方向側（図７によれば下方側）の開口部からネジ状軸部材３３が挿入され、該ネジ状軸部材３３の上端部分が軸受部材３４に挿通されて連結部材３２に接続される。
【００３９】
そして、図７に示すように、固定縦格子構成部材１１の閉鎖方向側（図示例によれば下方側）の開口部に対し、可動縦格子構成部材２１が挿入されるとともに、ネジ状軸部材３３をモータ３１によって回転させて被螺合部材３６に螺合させ、ネジ状軸部材３３の下端側を軸受部材３５へ挿通させる。
なお、図７に示す以外の固定縦格子構成部材１１に対しても、それぞれ可動縦格子構成部材２１が挿入されることで、固定縦格子１０に対し可動縦格子２０をスライド可能にした建物用開閉装置１が構成される。
【００４０】
組立て手順の他例としては、モータ３１及び軸受部材３４等を装着した固定縦格子構成部材１１の下端側に、軸受部材３５及び被螺合部材３６を装着した可動縦格子構成部材２１を挿入し、その後で、ネジ状軸部材３３を可動縦格子構成部材２１の下端側開口部から挿入して連結部材３２に連結するようにしてもよい。
更に、他例としては、基台３７を省き、モータ３１及び軸受部材３４を固定縦格子構成部材１１内に直接止着したり、基台３８を省き、軸受部材３５及び被螺合部材３６を可動縦格子構成部材２１内に直接止着することも可能である。
【００４１】
そして、上記構成の建物用開閉装置１は、図１に示すように、建物Ａに対し、その前面側の開口部Ａ１を開閉するようにして装着される。
より詳細に説明すれば、建物用開閉装置１の固定縦格子１０が、建物Ａに対し、開口部Ａ１を確保した状態で、上下方向へわたって取付けられる。
【００４２】
図１に示す好ましい一例によれば、固定縦格子１０は、二階部分のベランダＡ２の前面の下半側部分を覆っている。すなわち、当該建物用開閉装置１の上端側部分は、二階のベランダＡ２における柵部材として機能している。
固定縦格子１０の下端側部分は、開口部Ａ１の上端側を覆うようにしてもよいし、開口部Ａ１を覆うことなく開口部Ａ１よりも上側の前壁面を覆うようにしてもよい。
【００４３】
また、固定縦格子１０と建物Ａとの間の固定箇所については、例えば、固定縦格子１０両側の固定縦格子構成部材１１’，１１’を開口部Ａ１の左右の縁に止着するようにしてもよいし、固定縦格子構成部材１１’，１１’の下端を地面や床面等に埋め込んで固定してもよく、あるいは、固定縦格子１０を開口部Ａ１の上側の壁面に止着するようにしてもよい。
【００４４】
上記のようにして建物Ａに装着された建物用開閉装置１は、図３（ａ）〜（ｃ）に示すようにして、可動縦格子２０の全部又は一部を開閉動作可能である。
より詳細に説明すれば、例えば、図３（ａ）は、可動縦格子２０全体を固定縦格子１０の下方へ突出させて床面や地面等に当接させた全閉状態を示している。
【００４５】
図３（ｂ）は、比較的幅の狭い一部の可動縦格子２０ａのみを全開した状態を示す。この可動縦格子２０ａにより開放された開口部Ａ１ａは、例えば、人や比較的小さな物体を通過させるために用いられる。
【００４６】
また、図３（ｃ）は、比較的幅の広い他の一部の可動縦格子２０ｂのみを全開した状態を示す。この可動縦格子２０ｂにより開放される開口部Ａ１ｂは、例えば、車や比較的大きな物体を通過させるために用いられる。
【００４７】
勿論、図１に示すように、全ての可動縦格子２０を全開し、人や車、その他の物体を通過させることも可能である。
【００４８】
上記構成の建物用開閉装置１によれば、可動縦格子２０の上下方向へスライドにより、開口部Ａ１を必要に応じて部分的又は全体的に開閉することができる。
しかも、開放動作した際の可動縦格子２０を固定縦格子１０に沿う上方側へ収納することができるため、前後方向の設置スペースが比較的少なくて済む。
その上、建物Ａの開口部Ａ１を縦格子状に頑丈に覆うことができ、防犯性が良好である。
更には、建物用開閉装置１（詳細には固定縦格子１０）の上側部分をベランダＡ２の柵部材として機能させることができ、外観上の体裁も良好である。
しかも、可動縦格子２０をネジ機構を備えた駆動機構３０によって上下方向へスライドさせる構造であるため、可動縦格子２０を所望とする開放位置で停止した場合に、その可動縦格子２０が自重によって閉鎖動作してしまうようなことを防ぐことができる。
【００４９】
なお、上記実施の形態によれば、固定縦格子構成部材１１内で可動縦格子構成部材２１がスライドする構成としたが、他例としては、固定縦格子構成部材１１に対し環状に設けられた可動縦格子構成部材２１が、固定縦格子構成部材１１の外面に沿ってスライドする構造とすることも可能である。
【００５０】
更に他例としては、間隔を置いて配置される固定縦格子構成部材１１，１１の間に可動縦格子構成部材を配置し（図示せず）、この可動縦格子構成部材を固定縦格子構成部材１１，１１の間に沿って上下方向へスライドさせて、可動縦格子（図示せず）を開閉動作させる構造とすることも可能である。
更に他例としては、複数の固定縦格子構成部材１１の内の一部に対し、各固定縦格子構成部材１１内へ各可動縦格子構成部材２１をスライド可能に挿入し、他の可動縦格子構成部材２１を固定縦格子構成部材１１の外面に沿ってスライドさせる構造等とすることも可能である。
【００５１】
また、上記実施の形態によれば、複数の固定縦格子構成部材１１，１１’の内、その両側の固定縦格子構成部材１１’，１１’を下方へ突出させ、この突出した固定縦格子構成部材１１’，１１’によって可動縦格子２０のスライドを案内するようにしたが、他例としては、複数の固定縦格子構成部材１１，１１’の内、その横幅方向の中央側の一部の固定縦格子構成部材１１を下方へ突出させ、この突出した一部の固定縦格子構成部材１１によって可動縦格子２０のスライドを案内することも可能である。
【００５２】
また、上記実施の形態によれば、可動縦格子２０を単段階的にスライド開閉させる構造としたが、他例としては、固定縦格子１０の下方側に、複数の可動縦格子（図示せず）を上下方向へ連なるように複数係合し、これら複数の可動縦格子がそれぞれ上下方向へ伸縮するようにして多段階的にスライド開閉する構造とすることも可能である。より具体的に説明すれば、可動縦格子を構成する筒状の可動縦格子構成部材を、内外で重なり合うようにして複数設け、これら複数の可動縦格子構成部材が伸縮するようにしてスライドする構造とすればよい。
【００５３】
また、上記実施の形態によれば、可動縦格子２０を横幅方向において二つに分割したが、他例としては、可動縦格子２０を横幅方向において三以上に分割したり、可動縦格子２０を分割せずに単一の開閉体としたり等してもよい。
【００５４】
また、上記実施の形態によれば、各可動縦格子構成部材２１を中空状に構成したが、他例としては、可動縦格子構成部材２１の一部又は全部を中実状に構成して、より頑強な構造とすることも可能である。
【００５５】
また、上記実施の形態によれば、特に好ましい態様としてネジ機構を備えた駆動機構３０を用いて可動縦格子２０を開閉動作するようにしたが、他例としては、可動縦格子２０をワイヤーで吊るとともに、該ワイヤーを上方側の巻取装置（図示せず）により巻き取ったり繰り出したりすることで、可動縦格子２０を開閉動作させることも可能である。
更に他例としては、可動縦格子２０を手動で開閉する構造とすることも可能である。なお、前記二つの他例においては、可動縦格子２０を所望とする開放位置で係止する係止機構を設ける。
【図面の簡単な説明】
【００５６】
【図１】本発明に係る建物用開閉装置を適用した建物の一例を示す斜視図である。
【図２】本発明に係る建物用開閉装置の一例を示す正面図である。
【図３】同建物用開閉装置の斜視図であり、（ａ）は全閉状態を示し、（ｂ）は一部を開放した状態を示し、（ｃ）は他の一部を開放した状態を示す。
【図４】図１における(IV)-(IV)線断面図である。
【図５】図１における(V)-(V)線断面図である。
【図６】駆動機構の要部斜視図である。
【図７】固定縦格子構成部材に対し可動縦格子構成部材を組付ける前の状態を示す要部断面図である。
【符号の説明】
【００５７】
Ａ：建物                                Ａ１：開口部
１：建物用開閉装置                      １０：固定縦格子
１１，１１’：固定縦格子構成部材          １１ｂ’：ガイド片
２０：可動縦格子                        ２１：可動縦格子構成部材
３０：駆動機構                          ３１：モータ
３３：ネジ状軸部材                      ３４，３５：軸受部材
３６：被螺合部材
【図１】
2010031502.tif 000003
【図２】
2010031502.tif 000004
【図３】
2010031502.tif 000005
【図４】
2010031502.tif 000006
【図５】
2010031502.tif 000007
【図６】
2010031502.tif 000008
【図７】
2010031502.tif 000009